(57)【要約】【課題】簡易な手法によって、クッキーＩＤとウェブコンテンツの視聴データとの対応関係を収集することを可能とする端末装置及び収集方法を提供する。【解決手段】端末装置１０は、ウェブブラウザ機能部１１及びツールバー機能部１２を有する。ツールバー機能部１２は、ツールバーがインストールされたウェブブラウザによって視聴されるウェブコンテンツを構成するデータに測定タグを埋め込む。ウェブブラウザ機能部１１は、ウェブコンテンツを構成するデータに埋め込まれた測定タグがウェブブラウザによって実行された場合に、ウェブブラウザを識別するクッキーＩＤとウェブブラウザを用いて表示されたウェブコンテンツの視聴データとの対応関係を収集サーバに送信する。【選択図】図２
2013073455.tif 000002
【特許請求の範囲】
【請求項１】
ウェブサーバから提供されるウェブコンテンツの視聴データを収集するための端末装置であって、
前記ウェブコンテンツを構成するデータを書き込むウェブブラウザを制御するウェブブラウザ機能部と、
前記ウェブブラウザにインストールされる特定ソフトウェアを制御する特定ソフトウェア機能部とを備え、
前記特定ソフトウェア機能部は、前記特定ソフトウェアがインストールされたウェブブラウザによって視聴される前記ウェブコンテンツを構成するデータに測定タグを埋め込み、
前記ウェブブラウザ機能部は、前記ウェブコンテンツを構成するデータに埋め込まれた前記測定タグが前記ウェブブラウザによって実行された場合に、前記ウェブブラウザを識別するクッキーＩＤと前記ウェブブラウザを用いて表示された前記ウェブコンテンツの視聴データとの対応関係を収集サーバに送信することを特徴とする端末装置。
【請求項２】
前記特定ソフトウェア機能部は、
前記端末装置を利用するユーザを識別するユーザＩＤを前記特定ソフトウェアに設定し、
前記特定ソフトウェアに設定された前記ユーザＩＤを前記ウェブブラウザ機能部に通知し、
前記ウェブブラウザ機能部は、前記クッキーＩＤ、前記ウェブコンテンツの視聴データ及び前記ユーザＩＤの対応関係を前記収集サーバに送信することを特徴とする請求項１に記載の端末装置。
【請求項３】
ウェブサーバから提供されるウェブコンテンツの視聴データを収集するための収集方法であって、
特定ソフトウェアがインストールされたウェブブラウザによって視聴される前記ウェブコンテンツを構成するデータをウェブブラウザが書き込むステップと、
前記特定ソフトウェアがインストールされたウェブブラウザによって視聴される前記ウェブコンテンツを構成するデータに測定タグを埋め込むステップと、
前記ウェブコンテンツを構成するデータに埋め込まれた前記測定タグが前記ウェブブラウザによって実行された場合に、前記ウェブブラウザを識別するクッキーＩＤと前記ウェブブラウザを用いて表示された前記ウェブコンテンツの視聴データとの対応関係を収集サーバに送信するステップとを備えることを特徴とする収集方法。
【発明の詳細な説明】
【技術分野】
【０００１】
本発明は、ウェブコンテンツの視聴データを収集するための端末装置及び収集方法に関する。
【背景技術】
【０００２】
従来、ウェブコンテンツの視聴データを収集する様々な技術が提案されている（例えば、特許文献１）。例えば、測定タグを用いる手法やツールバーを用いる手法が提案されている。
【０００３】
測定タグを用いる手法では、ウェブサーバ側においてウェブコンテンツに測定タグが埋め込まれている。ウェブブラウザ側においてウェブコンテンツに埋め込まれた測定タグがウェブブラウザ上で実行されると、ウェブブラウザを識別するクッキーＩＤとウェブコンテンツの視聴データとの対応関係が収集される。
【０００４】
ツールバーを用いる手法では、ツールバーがインストールされたウェブブラウザでウェブコンテンツが視聴された場合に、ツールバーを識別するツールバーＩＤとウェブコンテンツの視聴データとの対応関係が収集される。
【先行技術文献】
【特許文献】
【０００５】
【特許文献１】特開２０１１−５３８１２号公報
【発明の概要】
【発明が解決しようとする課題】
【０００６】
しかしながら、測定タグを用いる手法では、ウェブサーバ側においてウェブコンテンツに測定タグを埋め込む必要がある。従って、ウェブコンテンツの提供者に測定タグの埋め込みを依頼しなければならない。また、測定タグが埋め込まれていないウェブコンテンツの視聴データを収集することができない。
【０００７】
また、ツールバーを用いる手法では、ウェブコンテンツの視聴データがツールバーＩＤと対応付けられる。従って、汎用的に用いられるクッキーＩＤとツールバーＩＤとを別途対応付ける枠組みが必要である。
【０００８】
そこで、本発明は、上述した課題を解決するためになされたものであり、簡易な手法によって、クッキーＩＤとウェブコンテンツの視聴データとの対応関係を収集することを可能とする端末装置及び収集方法を提供することを目的とする。
【課題を解決するための手段】
【０００９】
第１の特徴に係る端末装置は、ウェブサーバから提供されるウェブコンテンツの視聴データを収集するための端末装置である。端末装置は、前記ウェブコンテンツを検索するツールバーを制御する特定ソフトウェア機能部と、前記ウェブコンテンツを構成するデータを書き込むウェブブラウザを制御するウェブブラウザ機能部とを備える。前記特定ソフトウェア機能部は、前記ツールバーがインストールされたウェブブラウザによって視聴される前記ウェブコンテンツを構成するデータに測定タグを埋め込む。前記ウェブブラウザ機能部は、前記ウェブコンテンツを構成するデータに埋め込まれた前記測定タグが前記ウェブブラウザによって実行された場合に、前記ウェブブラウザを識別するクッキーＩＤと前記ウェブブラウザを用いて表示された前記ウェブコンテンツの視聴データとの対応関係を収集サーバに送信する。
【００１０】
第１の特徴において、前記特定ソフトウェア機能部は、前記端末装置を利用するユーザを識別するユーザＩＤを前記ツールバーに設定し、前記ツールバーに設定された前記ユーザＩＤを前記ウェブブラウザ機能部に通知する。前記ウェブブラウザ機能部は、前記クッキーＩＤ、前記ウェブコンテンツの視聴データ及び前記ユーザＩＤの対応関係を前記収集サーバに送信する。
【００１１】
第２の特徴に係る収集方法は、ウェブサーバから提供されるウェブコンテンツの視聴データを収集するための方法である。収集方法は、前記ツールバーがインストールされたウェブブラウザによって視聴される前記ウェブコンテンツをウェブブラウザが実行するステップと、前記ツールバーがインストールされたウェブブラウザによって視聴される前記ウェブコンテンツを構成するデータに測定タグを埋め込むステップと、前記ウェブコンテンツを構成するデータに埋め込まれた前記測定タグが前記ウェブブラウザによって実行された場合に、前記ウェブブラウザを識別するクッキーＩＤと前記ウェブブラウザを用いて表示された前記ウェブコンテンツの視聴データとの対応関係を収集サーバに送信するステップとを備える。
【発明の効果】
【００１２】
本発明によれば、簡易な手法によって、クッキーＩＤとウェブコンテンツの視聴データとの対応関係を収集することを可能とする端末装置及び収集方法を提供することができる。
【図面の簡単な説明】
【００１３】
【図１】図１は、第１実施形態に係る視聴率調査システム１００を示す図である。
【図２】図２は、第１実施形態に係る端末装置１０を示すブロック図である。
【図３】図３は、第１実施形態に係る表示部１３に表示される画像を示す図である。
【図４】図４は、第１実施形態に係る収集方法を示すシーケンス図である。
【図５】図５は、第１実施形態に係る収集サーバ３０によって収集される情報を示す図である。
【発明を実施するための形態】
【００１４】
以下において、本発明の実施形態に係る視聴調査システムについて、図面を参照しながら説明する。なお、以下の図面の記載において、同一又は類似の部分には、同一又は類似の符号を付している。
【００１５】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１６】
［実施形態の概要］
第１の特徴に係る端末装置は、ウェブサーバから提供されるウェブコンテンツの視聴データを収集するための端末装置である。端末装置は、前記ウェブコンテンツを検索するツールバーを制御する特定ソフトウェア機能部と、前記ウェブコンテンツを構成するデータを書き込むウェブブラウザを制御するウェブブラウザ機能部とを備える。前記特定ソフトウェア機能部は、前記ツールバーがインストールされたウェブブラウザによって視聴された前記ウェブコンテンツを構成するデータに測定タグを埋め込む。前記ウェブブラウザ機能部は、前記ウェブコンテンツを構成するデータに埋め込まれた前記測定タグが前記ウェブブラウザによって実行された場合に、前記ウェブブラウザを識別するクッキーＩＤと前記ウェブブラウザを用いて表示された前記ウェブコンテンツの視聴データとの対応関係を収集サーバに送信する。
【００１７】
実施形態では、特定ソフトウェア機能部は、ツールバーがインストールされたウェブブラウザによって視聴されるウェブコンテンツを構成するデータに測定タグを埋め込む。従って、ウェブコンテンツの提供者に測定タグの埋め込みを依頼する必要が無く、クッキーＩＤと視聴データとの対応関係を収集することができる。また、視聴データを収集する際に、ツールバーＩＤではなくて、クッキーＩＤが用いられるため、ツールバーＩＤとクッキーＩＤとを別途対応付ける必要もない。
【００１８】
すなわち、簡易な手法によって、クッキーＩＤとウェブコンテンツの視聴データとの対応関係を収集することができる。
【００１９】
［第１実施形態］
（視聴調査システム）
以下において、第１実施形態に係る視聴調査システムについて説明する。図１は、第１実施形態に係る視聴率調査システム１００を示す図である。
【００２０】
図１に示すように、視聴率調査システム１００は、端末装置１０と、ウェブサーバ２０と、収集サーバ３０と、ネットワーク４０とを有する。
【００２１】
端末装置１０は、パーソナルコンピュータ、携帯電話、テレビ、カーナビゲーションなどの端末である。端末装置１０は、ユーザがウェブコンテンツを閲覧するウェブブラウザを有する。
【００２２】
ウェブサーバ２０は、様々なウェブコンテンツを提供するサーバである。具体的には、ウェブサーバ２０は、ネットワーク４０を介して、ウェブコンテンツを構成するデータ（例えば、ＨＴＭＬデータやＸＭＬデータなど）を端末装置１０に送信する。なお、ウェブコンテンツは、動画像や静止画像などによって構成されるコンテンツを含んでいてもよい。
【００２３】
収集サーバ３０は、ウェブブラウザを用いて表示されたウェブコンテンツの視聴データを収集する。詳細には、収集サーバ３０は、クッキーＩＤと視聴データとの対応関係を収集する。クッキーＩＤと視聴データとの対応関係は、後述するように、端末装置１０から送信される。
【００２４】
クッキーＩＤは、端末装置１０を識別する識別情報である。詳細には、クッキーＩＤは、端末装置１０に設けられるウェブブラウザを識別する情報である。
【００２５】
視聴データは、例えば、接触ＵＲＬ、接触日時、リファラーなどを含む。接触ＵＲＬは、ウェブブラウザを用いて表示されたウェブコンテンツを識別する情報である。接触日時は、ウェブブラウザを用いてウェブコンテンツが表示された日時である。リファラーは、ウェブブラウザを用いてウェブコンテンツを検索する際に参照されたウェブコンテンツを識別する情報（例えば、ＵＲＬ；Ｕｎｉｆｏｒｍ  Ｒｅｓｏｏｕｒｃｅ  Ｌｏｃａｔｏｒ）である。
【００２６】
ネットワーク４０は、端末装置１０、ウェブサーバ２０及び収集サーバ３０を接続するネットワークである。ネットワーク４０は、例えば、インターネットである。或いは、ネットワーク４０は、移動体通信網を含んでもよい。
【００２７】
（端末装置）
以下において、第１実施形態に係る端末装置について説明する。図２は、第１実施形態に係る端末装置１０を示すブロック図である。なお、図２では、端末装置１０を構成する機能ブロックが示されている。従って、図２では、ＣＰＵやメモリなどの構成が省略されていることに留意すべきである。
【００２８】
図２に示すように、端末装置１０は、ウェブブラウザ機能部１１と、ツールバー機能部１２と、表示部１３とを有する。
【００２９】
ウェブブラウザ機能部１１は、ウェブコンテンツを構成するデータを書き込むウェブブラウザを制御する。詳細には、ウェブブラウザ機能部１１は、ウェブコンテンツを構成するデータ（例えば、ＨＴＭＬデータやＸＭＬデータなど）をメモリに書き込むようにウェブブラウザを制御する。これによって、表示部１３上にウェブコンテンツが表示される。
【００３０】
第１実施形態において、ウェブブラウザ機能部１１は、ウェブコンテンツを構成するデータに測定タグが埋め込まれている場合には、測定タグがメモリに書き込まれると、測定タグを実行する。測定タグは、例えば、１×１ピクセルの透明な画像（以下、トラッキング画像）を表示するためのタグである。
【００３１】
具体的には、ウェブブラウザ機能部１１は、測定タグが実行されると、トラッキング画像を要求するトラッキング画像要求を収集サーバ３０に送信する。トラッキング画像要求は、クッキーＩＤ及び視聴データを含む。すなわち、ウェブブラウザ機能部１１は、クッキーＩＤ及び視聴データの対応関係を収集サーバ３０に送信する。また、ウェブブラウザ機能部１１は、トラッキング画像要求に応じて収集サーバ３０から送信されるトラッキング画像をメモリに書き込むようにウェブブラウザを制御する。
【００３２】
なお、収集サーバ３０に送信される視聴データは、ウェブコンテンツを構成するデータが実行された際に送信される。言い換えると、収集サーバ３０に送信される視聴データは、ウェブブラウザを用いて表示部１３上に表示された際に送信される。
【００３３】
ツールバー機能部１２は、ウェブコンテンツを検索するツールバーを制御する。具体的には、ツールバー機能部１２は、キーワード入力欄に入力されたキーワードに合致するウェブコンテンツを検索するようにツールバーを制御する。
【００３４】
第１実施形態では、ツールバー機能部１２は、ツールバーがインストールされたウェブブラウザによって視聴されるウェブコンテンツを構成するデータに測定タグを埋め込む。
【００３５】
ここで、ツールバー機能部１２は、端末装置１０を利用するユーザ毎にツールバーを管理していてもよい。すなわち、ツールバー機能部１２は、端末装置１０を利用するユーザを識別するユーザＩＤをツールバーに設定してもよい。
【００３６】
このようなケースでは、ツールバー機能部１２は、ツールバーがインストールされたウェブブラウザによって視聴されるウェブコンテンツを構成するデータとともにユーザＩＤをウェブブラウザ機能部１１に通知する。ウェブブラウザ機能部１１は、クッキーＩＤ及び視聴データに加えてユーザＩＤをトラッキング画像要求に含める。すなわち、ウェブブラウザ機能部１１は、クッキーＩＤ、ユーザＩＤ及び視聴データの対応関係を収集サーバ３０に送信する。
【００３７】
表示部１３は、液晶ディスプレイなどによって構成されており、各種画像を表示する。例えば、表示部１３は、図３に示すように、ツールバー画像１１０及びウェブコンテンツ画像１２０を表示する。
【００３８】
ツールバー画像１１０は、ツールバーを利用するための画像である。ツールバー画像１１０は、例えば、ウェブコンテンツを検索するためのキーワードが入力されるキーワード入力欄を含む。ツールバー画像１１０は、ユーザＩＤを切り替えるためのアイコンを含んでもよい。
【００３９】
ウェブコンテンツ画像１２０は、ウェブコンテンツを構成するデータの書き込みによって表示される画像である。ウェブコンテンツ画像１２０は、トラッキング画像１２１を含む。なお、ウェブコンテンツ画像１２０は、上述したように、動画像や静止画像などを含んでもよい。
【００４０】
（収集方法）
以下において、第１実施形態に係る収集方法について説明する。図４は、第１実施形態に係る収集方法を示すシーケンス図である。
【００４１】
図４に示すように、ステップ１０において、ウェブブラウザ機能部１１は、ウェブコンテンツの検索を要求するウェブコンテンツ要求をウェブサーバ２０に送信する。
【００４２】
ステップ２０において、ウェブサーバ２０は、ウェブコンテンツを構成するデータ（ウェブコンテンツデータ）をツールバー機能部１２に送信する。
【００４３】
ステップ３０において、ツールバー機能部１２は、ウェブコンテンツデータに測定タグを埋め込む。
【００４４】
ステップ４０において、ツールバー機能部１２は、測定タグが埋め込まれたウェブコンテンツデータ（以下、タグ付きウェブコンテンツデータ）をウェブブラウザ機能部１１に送信する。
【００４５】
なお、ツールバー機能部１２は、ツールバーにユーザＩＤが設定されている場合には、タグ付きウェブコンテンツデータとともにユーザＩＤをウェブブラウザ機能部１１に通知する。
【００４６】
ステップ５０において、ウェブブラウザ機能部１１は、タグ付きウェブコンテンツデータをメモリに書き込むようにウェブブラウザを制御する。すなわち、ウェブブラウザ機能部１１は、ツールバーがインストールされたウェブブラウザによって視聴されるウェブコンテンツを表示部１３上に表示する。また、ウェブブラウザ機能部１１は、測定タグが埋め込まれているため、測定タグを実行する。
【００４７】
ステップ６０において、ウェブブラウザ機能部１１は、トラッキング画像要求を収集サーバ３０に送信する。上述したように、トラッキング画像要求は、クッキーＩＤ及び視聴データを含む。すなわち、ウェブブラウザ機能部１１は、クッキーＩＤ及び視聴データの対応関係を収集サーバ３０に送信する。
【００４８】
なお、ウェブブラウザ機能部１１は、ツールバーにユーザＩＤが設定されている場合には、クッキーＩＤ、ユーザＩＤ及び視聴データを含むトラッキング画像要求を収集サーバ３０に送信する。すなわち、ウェブブラウザ機能部１１は、クッキーＩＤ、ユーザＩＤ及び視聴データの対応関係を収集サーバ３０に送信する。
【００４９】
ステップ７０において、収集サーバ３０は、トラッキング画像をウェブブラウザ機能部１１に送信する。なお、ウェブブラウザ機能部１１は、トラッキング画像をメモリに書き込むようにウェブブラウザを制御する。
【００５０】
このように、クッキーＩＤ及び視聴データの対応関係が端末装置１０から収集サーバ３０にされる。従って、収集サーバ３０は、クッキーＩＤ及び視聴データの対応関係を収集することができる。
【００５１】
例えば、収集サーバ３０は、図５に示すように、クッキーＩＤ、ユーザＩＤ及び視聴データの対応関係を収集する。クッキーＩＤは、端末装置１０に設けられるウェブブラウザを識別する情報である。ユーザＩＤは、端末装置１０を利用するユーザを識別する情報である。
【００５２】
視聴データは、例えば、接触ＵＲＬ、接触日時、リファラーなどを含む。接触ＵＲＬは、ウェブブラウザを用いて表示されたウェブコンテンツを識別する情報である。接触日時は、ウェブブラウザを用いてウェブコンテンツが表示された日時である。リファラーは、ウェブブラウザを用いてウェブコンテンツを検索する際に参照されたウェブコンテンツを識別する情報（例えば、ＵＲＬ；Ｕｎｉｆｏｒｍ  Ｒｅｓｏｏｕｒｃｅ  Ｌｏｃａｔｏｒ）である。
【００５３】
（作用及び効果）
第１実施形態では、ツールバー機能部１２は、ツールバーがインストールされたウェブブラウザによって視聴されるウェブコンテンツを構成するデータに測定タグを埋め込む。従って、ウェブコンテンツの提供者に測定タグの埋め込みを依頼する必要が無く、クッキーＩＤと視聴データとの対応関係を収集することができる。また、視聴データを収集する際に、ツールバーＩＤではなくて、クッキーＩＤが用いられるため、ツールバーＩＤとクッキーＩＤとを別途対応付ける必要もない。
【００５４】
すなわち、簡易な手法によって、クッキーＩＤとウェブコンテンツの視聴データとの対応関係を収集することができる。
【００５５】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００５６】
実施形態では、視聴データは、接触ＵＲＬ、接触日時、リファラーなどを含む。しかしながら、実施形態は、これに限定されるものではない。視聴データは、少なくとも接触ＵＲＬを含んでいればよい。或いは、視聴データは、他のデータを含んでいてもよい。
【符号の説明】
【００５７】
１０…端末装置、１１…ウェブブラウザ機能部、１２…ツールバー機能部、１３…表示部、２０…ウェブブラウザ、３０…収集サーバ、４０…ネットワーク、１００…視聴調査システム
【図１】
2013073455.tif 000003
【図２】
2013073455.tif 000004
【図３】
2013073455.tif 000005
【図４】
2013073455.tif 000006
【図５】
2013073455.tif 000007